(57)【要約】【課題】幅木の材料が限定されず、枠組壁工法においても利用でき、建築後に配線の増設や変更を容易に実施することができる屋内配線構造を提供することを課題とする。【解決手段】建物の壁内下部に該壁の各縦枠１３を貫通してケーブル４０が配線され、壁の面材２０の室内側面下部に幅木３０が配設されるように屋内配線構造Ｗ１を構成する。幅木３０は、面材２０に固定された上見切材と、この上見切材の下部において面材２０に着脱自在に取り付けられた下見切材とを備えるようにすることが好ましい。【選択図】  図２
2004201398.tif 000002
【特許請求の範囲】
【請求項１】
建物の壁内下部に該壁の各縦枠を貫通してケーブルが配線され、前記壁の面材の室内側面下部に幅木が配設されていることを特徴とする屋内配線構造。
【請求項２】
前記幅木は、その一部または全部が前記面材に着脱自在に配設されていることを特徴とする請求項１に記載の屋内配線構造。
【請求項３】
前記幅木は、前記面材に固定された上見切材と、この上見切材の下部において前記面材に着脱自在に取り付けられた下見切材とを備えることを特徴とする請求項２に記載の屋内配線構造。
【発明の詳細な説明】
【０００１】
【発明の属する技術分野】
本発明は、建物内の配線の変更や増設を容易に行うことのできる屋内配線構造に関するものである。
【０００２】
【従来の技術】
電気は、電柱から引込線により建物内に引き込まれ、電気の使用量を測るメータ、各部屋に電気を分配等する分電盤を経由して、ケーブルによって各部屋のコンセントボックス、スイッチ等に屋内配線されている。分電盤から各部屋のコンセントボックス等までは、天井裏のスペースから壁の内部のスペースを経由してケーブルが接続されるようになっている。
このような屋内配線構造においては、家具の配置変更や家電製品の増加によって、建物完成後にコンセントボックスの増設や移動等を要望しても、壁や天井の石膏ボードを全面剥がす等の大規模な工事が必要となるため、電気工事業者のみならず、建築業者等様々な業者の手を加えなければ困難であり、入居者の負担が大きい。このため、従来から容易にコンセントボックスの増設等を行うことができる手段について模索されていた。
【０００３】
たとえば、現状においては、延長コードにより、一つのコンセントボックスから分岐することにより対応するという手軽な方法があげられる。
【０００４】
また、容易に増設等を行える屋内配線構造として、図９に示す特許文献１に記載されたような屋内配線構造１００が提案されている。この屋内配線構造１００は、ケーブル１１０が通る配線空間１２１ａを備えるカバー部１２１とベース部１２２とから幅木１２０を構成し、予め、配線空間１２１ａにケーブル１１０を配線しておくというものである。これによれば、任意の場所で幅木１２０のカバー部１２１を取り外すことができ、予め部屋周りにケーブル１１０を配線しておくことにより、その場所でケーブル１１０を容易に加工できる。そのため、壁１３０の石膏ボード１３１を剥がす等の工事も不要で、容易にコンセントボックス１４０の増設等を行うことができる。ちなみに、通常、壁や床の仕上げの前に設けられる幅木（いわゆる「先付け幅木」）の取り外しには、石膏ボード１３１を覆う壁クロス１５０（特に、幅木のとの取り合い部について）のカット作業を伴うが、特許文献１に記載の屋内配線構造１００に用いる幅木１２０によれば、カバー部１２１を取り外すだけでよいので、カット作業が不要である。
【０００５】
また、特許文献２に記載された図１０に示す屋内配線構造２００では、壁内下部の下枠２１０と転び止め部材２２０の間に着脱自在な幅木２３０によって被覆可能な配線空間２１０ａを形成し、この配線空間２１０ａ内にケーブル２４０等が配線可能であるように構成されている。これによれば、幅木２３０を取り外して、空間２１０ａ内に配置されるケーブル２４０等を容易に加工でき、コンセントボックス２５０，２５１の増設等を行うことができる。
【０００６】
【特許文献１】
特開２００２−１１２４２７号公報（段落番号〔００１４〕〜〔００１８〕、図２参照）
【特許文献２】
特開平７−３３６８４７号公報（段落番号〔００２８〕〜〔００３０〕、図２５参照）
【０００７】
【発明が解決しようとする課題】
しかしながら、従来の延長コードを用いて一つのコンセントから分岐する方法では、ケーブルの許容電流値を超えた電流が流れる場合もあり、ケーブルが焼損する等、安全上問題になるケースが多く、また、部屋の美観的にも好ましくない。
また、特許文献１に記載の屋内配線構造１００によれば、コンセントボックス１４０の増設を容易に行うことができるが、幅木１２０の材料が、その複雑な形状に対応すべくプラスチック材等に限られる。そのため、無垢の木材等による幅木に比べ、安価な外観を呈し、部屋の美感を損ねるという問題があった。
【０００８】
さらに、特許文献２に記載の屋内配線構造２００では、壁内下部の配線空間２１０ａを、幅木２３０によって被覆するようにしているため、通常、上枠（図示せず）から下枠２１０までの枠体全体を覆うはずの面材２６０が下枠まで達していない。このような屋内配線構造２００では、壁の下部の強度が弱くなるため、下枠２１０のやや上に転び止め部材２２０を設けて一応強度を高めているが、転び止め部材２２０を設けるのは手間がかかる上、壁全体の強度はそれほど強力にはならない。そのため、壁の面材が下枠まで達するように張設される枠組壁工法において利用できない、という問題があった。
【０００９】
そこで、本発明は、前記問題を解決するためになされたものであり、幅木の材料が限定されず、枠組壁工法においても利用でき、建築後に配線接続の増設や変更を容易に実施することができる屋内配線構造を提供することを課題とする。
【００１０】
【課題を解決するための手段】
本発明は、前記課題を解決すべく構成されるものであり、請求項１に記載の発明は、建物の壁内下部に該壁の各縦枠を貫通してケーブルが配線され、前記壁の面材の室内側面下部に幅木が配設されていることを特徴とする。
【００１１】
請求項１に記載の屋内配線構造によれば、幅木を取り外すことによって現れる壁の面材（石膏ボード等）をカットして、その（壁の）内部に配線されたケーブルを加工することができる。そのため、配線の変更、増設等を容易に行うことができる。また、ケーブルが幅木内に配線されていないので、幅木は単純な形状で形成でき、その材料が限定されることはない。
なお、壁と床とを見切る幅木は壁の面材に配設されており、面材は壁の下端まで達しているので、枠組壁工法にも適用することができる。
【００１２】
また、前記幅木は、その一部または全部が前記面材に着脱自在に配設されていることが好ましい。
このように構成すれば、面材から前記幅木の一部または全部を取り外すことが容易にできるため、配線の変更、増設等をより一層容易に行うことができる。
【００１３】
さらに、前記幅木は、前記面材に固定された上見切材と、この上見切材の下部において前記面材に着脱自在に取り付けられた下見切材とを備えて構成することが好ましい。
このように構成することで、幅木の下見切材を面材から容易に取り外すことができる。このとき、幅木の上見切材は面材に固定されているため、幅木の上部を覆う壁クロスのカット等は必要ない。
【００１４】
【発明の実施の形態】
以下、本発明に係る実施の形態について、適宜図面を参照しながら詳細に説明する。
【００１５】
〔第１の実施の形態〕
参照する図面において、図１は、第１の実施の形態に係る屋内配線構造を用いた部屋の一例を示す斜視図であり、図２は、第１の実施の形態に係る屋内配線構造を示す分解斜視図である。
図１、図２に示すように、本発明の実施の形態に係る屋内配線構造Ｗ１は、枠体１０と、枠体１０の両側に配置される面材２０，２０と、面材２０の室内側面下部に配設される幅木３０と、枠体１０の内部に形成される配線孔１３ａを通じて配線されるケーブル４０とから構成される。
【００１６】
枠体１０は、上枠１１と、下枠１２と、４本の縦枠１３とからなる。各縦枠１３の下方には、下枠１２に沿うように貫通する円形状の配線孔１３ａが設けられている。
【００１７】
面材２０，２０は、枠体１０の上枠１１から下枠１２まで全面を覆うような板状部材であり、その室内側面には装飾のための壁クロス２１が貼着されている。面材２０にはコンセントボックス５０が配設されており、このコンセントボックス５０に引込線４１を介して後記するケーブル４０が接続されている。
【００１８】
幅木３０は、面材２０の室内側面下部に接着して固定されている。材料は特に限定されないが、たとえば、部屋の美感に合わせた材質感を有する材料を適用でき、無垢の木材、合板、単板積層材（ＬＶＬ）、集成材等を用いることができる。
【００１９】
ケーブル４０は、図示しない分電盤から天井裏、壁内空間を経由して、縦枠１３に形成される配線孔１３ａを通じ、部屋の周りに配線される（図１参照）。また、コンセントボックス５０の下方において、コンセントボックス５０の引込線４１をジョイントボックス６０等でケーブル４０に接続している。
なお、部屋を囲むように連続して配線することは必ずしも必要でなく、一枚の壁ごとに配線してもよいし、コンセントボックス５０等の増設の可能性がある部分にのみ配線することとしてもよい。壁ごとに配線することで、縦枠が密集しているコーナー部への配線を避けることができ、施工が簡単になる。また、コンセントボックス５０の増設等の可能性がある部分にのみ配線することで、コスト面等でメリットを有する。
【００２０】
以上のように構成された屋内配線構造Ｗ１において、コンセントボックス５１を増設する場合について、図３、図４を参照しながら説明する。図３は、面材を透視した枠体の部分正面図、図４（ａ）〜（ｆ）は、コンセントボックスの増設方法を説明する屋内配線構造の断面図である。
【００２１】
まず、通常、図４（ａ）に示すように、幅木３０は面材２０に接着して固定されているので、幅木３０を取り外し（図４（ｂ）参照）、幅木３０によって覆い隠されていた面材２０を露出させる。そして、図３に示すように、コンセントボックス５１を増設する位置の下方の面材２０の一部２１を切断して、穴をあけ、壁内下部を巡っているケーブル４０を露出させる（図４（ｃ）参照）。
【００２２】
次に、新たなコンセントボックス５１を、面材２０の任意の場所に設置し、コンセントボックス５１に接続されている追加引込線４２を、壁内下部の方に導き、ケーブル４０と接続する（図４（ｄ）参照）。具体的には、図３に示すように、壁内下部を巡っているケーブル４０を室内側に引き出して、分岐コネクタ６１を用いて追加引込線４２と接続する。
その後、ケーブル４０、分岐コネクタ６１および追加引込線４２を壁内下部に納めて、面材２０の穴をふさぐ。図４（ｅ）に示すように、面材２０の穴をふさぐ際は、受け材７０を壁内部側から面材２０の穴の上部に固定し、穴をあけるときに切断した面材２０の一部２１を、受け材７０を介して元通りにはめ込んだ後、幅木３０を再び接着して元通り面材２０に固定する（図４（ｆ）参照）。
【００２３】
以上によれば、本実施の形態において、以下の効果が得られる。
屋内配線構造Ｗ１によれば、幅木３０を取り外すことによって現れる面材２０を切断して、その内部に配線されたケーブル４０を加工することができる。そのため、新たなコンセントボックス５１を設置し、コンセントボックス５１に接続されている追加引込線４２をケーブル４０に容易に接続できる。そのため、コンセントボックス５１を容易に増設することが可能である。
【００２４】
また、ケーブル４０が予め部屋の壁内下部を巡っているため（図１参照）、任意の場所にコンセントボックス５１を容易に増設することができ、配線の変更や増設の自由度を高めることができる。
さらに、幅木３０は、単純な形状で形成されているので、その材料が限定されず、部屋の美感に合わせた材料を選択することができる。
なお、壁と床とを見切る幅木３０は壁の面材２０に配設されており、面材２０は壁の下端まで達しているので、枠組壁工法にも適用することができる。
【００２５】
また、本発明は次のような形態で実施をすることもできる。
たとえば、前記した実施の形態では、幅木３０を面材２０に接着して固定する構成としたが、図５に示すように、ビスＶ（あるいは面ファスナ）等によって、面材２０に着脱自在に配設する構成とすることができる。このように構成すれば、幅木３０の取り外しを容易に行うことができ、コンセントボックス５１の増設をより容易に行うことができる。
また、前記した実施の形態では、縦枠１３の配線孔１３ａの形状を縦枠１３を貫通する円形状としているが、図６（ａ）に示すように、縦枠１３の底部を半円状に切り欠いた形状の配線孔１３ｂとしてもよいし、図６（ｂ）に示すように、縦枠１３の底部を三角形状に切り欠いた形状の配線孔１３ｃとしてもよい。このように構成することによっても、前記した実施の形態と同等の効果が得られる。
【００２６】
〔第２の実施の形態〕
以下、本発明の第２の実施の形態について適宜図面を参照しながら説明する。参照する図面において、図７は、第２の実施の形態に係る屋内配線構造を示す分解斜視図である。なお、第２の実施の形態に係る屋内配線構造Ｗ２は、第１の実施の形態に係る屋内配線構造Ｗ１の構成を一部変更したものなので、同一の構成要素に関しては同一の符号を付し、その説明は省略するものとする。
【００２７】
図７に示すように、本実施の形態に係る屋内配線構造Ｗ２は、枠体１０と、枠体１０の両側に配置される面材２０，２０と、面材２０の室内側面下部に配設される幅木３１と、枠体１０の内部に形成される配線孔１３ａを通じて配線されるケーブル４０とから構成される。
【００２８】
幅木３１は、上見切材３１ａと下見切材３１ｂとから構成される。
上見切材３１ａは、面材２０の室内側面下部に固着され、下見切材３１ｂは上見切材３１ａの下方において、面材２０と着脱が自在であるように、ビスＶによって、面材２０の室内側面に固定される。したがって、幅木３１がいわゆる先付け幅木であっても、下見切材３１ｂを面材２０から取り外す際、上見切材３１ａは面材２０に固着されたままであるため、壁クロス２１のカット作業等は必要ない。ちなみに、幅木３１が、壁と床を仕上げた後で設ける、いわゆる後付け幅木である場合も当然カット作業は必要ない。
【００２９】
以上のように構成された屋内配線構造Ｗ２において、コンセントボックス５１を増設する場合について、図８を参照しながら説明する。図８（ａ）〜（ｆ）は、コンセントボックスの増設方法を説明する屋内配線構造の断面図である。
【００３０】
まず、通常、図８（ａ）に示すように、幅木３１の下見切材３１ｂは面材２０にビスＶで固定されているので、下見切材３１ｂを取り外し（図８（ｂ）参照）、下見切材３１ｂによって覆い隠されていた面材２０を露出させる。そして、図３に示すように、コンセントボックス５１を増設する位置の下方の面材２０の一部２１を切断して、穴をあけ、壁内下部を巡っているケーブル４０を露出させる（図８（ｃ）参照）。
【００３１】
次に、新たなコンセントボックス５１を、面材２０の任意の場所に設置し、コンセントボックス５１に接続されている追加引込線４２を、壁内下部の方に導き、ケーブル４０と接続する（図８（ｄ）参照）。具体的には、壁内下部を巡っているケーブル４０を室内側に引き出して、分岐コネクタ６１を用いて追加引込線４２と接続する（図３参照）。
その後、ケーブル４０、分岐コネクタ６１および追加引込線４２を壁内下部に納めて、面材２０の穴をふさぐ。図８（ｅ）に示すように、面材２０の穴をふさぐ際は、受け材７０を壁内部側から面材２０の穴の上部に固定し、穴をあけるときに切断した面材２０の一部２１を、受け材７０を介して元通りにはめ込んだ後、幅木３１の下見切材３１ｂを再びビスＶによって元通り面材２０に固定する（図８（ｆ）参照）。
【００３２】
以上によれば、本実施の形態において、以下の効果が得られる。
屋内配線構造Ｗ２によれば、幅木３１の下見切材３１ｂを面材２０から容易に取り外すことができる。このとき、幅木３１の上見切材３１ａは面材２０に固定されているため、壁クロス２１のカット等は必要ない。そして、幅木３１の下見切材３１ｂを取り外すことによって現れる面材２０を切断して、その内部に配線されたケーブル４０を加工することができる。そのため、新たなコンセントボックス５１を設置し、コンセントボックス５１に接続されている追加引込線４２をケーブル４０に容易に接続できる。そのため、コンセントボックス５１を容易に増設することが可能である。
【００３３】
また、ケーブル４０が予め部屋の壁内下部を巡っているため（図１参照）、任意の場所にコンセントボックス５１を容易に増設することができ、配線の変更や増設の自由度を高めることができる。
さらに、幅木３１は、単純な形状で形成されているので、その材料が限定されず、部屋の美感に合わせた材料を選択することができる。
なお、壁と床とを見切る幅木３１は壁の面材２０に配設されており、面材２０は壁の下端まで達しているので、枠組壁工法にも適用することができる。
【００３４】
以上、本発明の好適な実施形態についての一例を説明したが、本発明は前記実施の形態に限定されず、本発明の趣旨を逸脱しない範囲で適宜設計変更が可能である。
前記した実施の形態では、コンセントボックス５１を増設する場合について説明したが、本発明はこれに限定されず、たとえば、照明器具の増設、照明器具スイッチの増設等、配線の変更、追加等をする様々な場合に適用することができる。
また、前記した実施の形態では、コンセントボックス５１を面材２０に設置する場合について説明したが、たとえば、幅木３０，３１に設置する構成としてもよい。
さらに、前記した実施の形態では、下見切材３１ｂを面材２０に固定するのにビスＶを用いているが、たとえば、面ファスナ等を用いて固定することもできる。
【００３５】
【発明の効果】
本発明の屋内配線構造によれば、幅木を取り外すことによって現れる壁の面材（石膏ボード等）をカットして、その（壁の）内部に配線されたケーブルを加工することができる。そのため、配線の変更、増設等を容易に行うことができる。また、ケーブルが幅木内に配線されていないので、幅木は単純な形状で形成でき、その材料が限定されることはない。
なお、壁と床とを見切る幅木は壁の面材に配設されており、面材は壁の下端まで達しているので、枠組壁工法にも適用することができる。
【００３６】
また、特に、幅木の一部または全部を面材に着脱自在に配設した場合には、面材から幅木の一部または全部を取り外すことが容易にできるため、配線の変更、増設等をより一層容易に行うことができる。
【００３７】
さらに、幅木を、面材に固定された上見切材と、この上見切材の下部において面材に着脱自在に取り付けられた下見切材とを備えて構成した場合は、幅木の上見切材は面材に固定されているため、壁クロス（特に、幅木との取り合い部）のカット等が不要となる。
【図面の簡単な説明】
【図１】第１の実施の形態に係る屋内配線構造を用いた部屋の一例を示す斜視図である。
【図２】第１の実施の形態に係る屋内配線構造を示す分解斜視図である。
【図３】面材を透視した枠体の部分正面図である。
【図４】（ａ）〜（ｆ）は、コンセントボックスの増設方法を説明する屋内配線構造の断面図である。
【図５】第１の実施の形態の変形例における幅木を備える屋内配線構造の断面図である。
【図６】第１の実施の形態の変形例における縦枠の配線孔の形状を示す縦枠の部分斜視図である。
【図７】第２の実施の形態に係る屋内配線構造を示す分解斜視図である。
【図８】（ａ）〜（ｆ）は、コンセントボックスの増設方法を説明する屋内配線構造の断面図である。
【図９】第１の従来例の屋内配線構造を示す断面図である。
【図１０】第２の従来例の屋内配線構造を示す斜視図である。
【符号の説明】
１０        枠体
１１        上枠
１２        下枠
１３        縦枠
２０        面材
３０，３１  幅木
３１ａ      上見切材
３１ｂ      下見切材
４０        ケーブル
５０        コンセントボックス
５１        コンセントボックス
６０        ジョイントボックス
【図１】
2004201398.tif 000003
【図２】
2004201398.tif 000004
【図３】
2004201398.tif 000005
【図４】
2004201398.tif 000006
【図５】
2004201398.tif 000007
【図６】
2004201398.tif 000008
【図７】
2004201398.tif 000009
【図８】
2004201398.tif 000010
【図９】
2004201398.tif 000011
【図１０】
2004201398.tif 000012